(57)【特許請求の範囲】
【請求項１】
電子メールによる通信が可能な通信システムであって、
前記通信システムの動作を総括的に制御する制御手段と、
所定の情報を入力可能な情報入力手段と、
前記情報入力手段によって入力された情報が所定の条件を具備するか否かについて判断する判断手段と、
現在の位置情報を取得する位置情報取得手段と、
電子メールの送信データを作成する電子メール作成手段と、
電子メールの送信を行う電子メール送信手段と、
電子メールの受信を行う電子メール受信手段と、
電子メールの受信データの本文を閲覧する電子メール閲覧手段と、
前記電子メール作成手段を有効とするとともに、前記電子メール送信手段を無効にし、且つ、前記電子メール受信手段を有効とするとともに、前記電子メール閲覧手段を無効にするＯＦＦモードと、少なくとも前記電子メール送信手段及び前記電子メール閲覧手段を有効にするＯＮモードとを切り換える電子メール通信モード切換手段と、
を有し、
前記制御手段は、前記判断手段による判断結果に応じて、前記電子メール通信モード切換手段による前記モードの切り換えを実行させ、
前記電子メール受信手段及び前記電子メール閲覧手段は、前記電子メール通信モード切換手段の前記ＯＮモード又は前記ＯＦＦモードに基づいて、前記電子メールの送信、及び電子メールの閲覧を実行又は停止し、
前記制御手段は、前記位置情報取得手段が取得した位置情報が所定の設定領域外である場合には、前記判断手段による判断結果に関わらず、所定の通信端末に対して前記現在位置情報を含めた電子メールを送信させる
ことを特徴とする通信システム。
【請求項２】
前記制御手段は、前記電子メールの利用者が独自に学習する学習機能に関する問題を、当該問題を蓄積する記憶手段から取得して出力手段に出力させる機能をさらに有し、
前記制御手段は、前記問題を出力する際、前記位置情報取得手段による位置情報に応じて、当該位置情報に関連付けられた前記地域に特化した問題を出力し、
前記判断手段は、前記情報入力手段が受け付けた前記問題に対する解答情報が、前記各利用者における学習結果の情報が集計されて算出された前記問題に対する正解率又は偏差値を定めた基準データをクリアしているか否かにより合否判定を行い、前記学習結果の情報を通信ネットワーク上のサーバに出力させ、
前記サーバでは、各利用者の前記学習結果の情報を記憶するとともに、サンプリングして他の教育システムに提供可能とする
ことを特徴とする請求項１に記載の通信システム。
【請求項３】
電子メールによる通信が可能な通信システムを用いた通信方法であって、
電子メールの送信データを作成する電子メール作成手段を有効にするとともに電子メールの送信を行う電子メール送信手段を無効にし、且つ、電子メールの受信を行う電子メール受信手段を有効にするとともに前記電子メールの受信データの本文を閲覧する電子メール閲覧手段を無効にするＯＦＦモードにおいて、前記送信データの作成を許可するとともに、前記電子メールを受信するＯＦＦモードステップと、
前記電子メール送信手段、及び前記電子メール閲覧手段を無効にした状態で、情報入力手段を通じて所定の情報の入力を受け付けるとともに、入力された情報が所定の条件を具備するか否かについて判断する判断ステップと、
前記判断ステップによる判断結果に応じて、少なくとも前記電子メール通信手段、及び前記電子メール閲覧手段を有効にするＯＮモードに切り換え、当該電子メールの送信を行うとともに、当該電子メールの閲覧を許可するＯＮモードステップと
を有し
前記判断ステップでは、現在の位置情報を取得する位置情報取得手段により前記情報入力手段の現在位置を取得し、
前記ＯＮモードステップでは、前記位置情報取得手段が取得した位置情報が所定の設定領域外である場合に、前記判断手段による判断結果に関わらず、所定の通信端末に対して前記現在位置情報を含めた電子メールを送信させる
を有することを特徴とする通信方法。
【請求項４】
前記判断ステップでは、前記電子メールの利用者が独自に学習する学習機能に関する問題を、当該問題を蓄積する記憶手段から取得して出力手段に出力させる出力ステップをさらに有し、
前記出力ステップでは、前記問題を出力する際、前記位置情報取得手段による位置情報に応じて、当該位置情報に関連付けられた前記地域に特化した問題を出力し、
前記判断ステップでは、前記情報入力手段が受け付けた前記問題に対する解答情報が、前記各利用者における学習結果の情報が集計されて算出された前記問題に対する正解率又は偏差値を定めた基準データをクリアしているか否かにより合否判定を行うとともに、前記学習結果の情報を通信ネットワーク上のサーバに出力し、
前記サーバ上において、各利用者の前記学習結果の情報を記憶するとともに、サンプリングして他の教育システムに提供可能とするステップをさらに有する
ことを特徴とする請求項３に記載の通信方法。
【発明の詳細な説明】
【技術分野】
【０００１】
本発明は、例えば、携帯電話装置や携帯端末装置などの電子メール通信機能を備えた通信装置を利用した通信システム及び通信方法に関する。
【背景技術】
【０００２】
近年、中高生から小学生の児童に至るまで、携帯電話装置が普及されるようになっている。これに伴い、学校生活や日常生活において、友友人との間において携帯電話装置のメール機能(電子メール機能)を用いて、毎日のように連絡を取り合うようになっている。電子メールの送受信の頻度は、一日あたり、数回から数百回の範囲にわたり、電子メールの送受信が情報伝達手段として有効に活用されている。
【先行技術文献】
【特許文献】
【０００３】
【特許文献１】特開２００２−２０９２６０号公報
【発明の概要】
【発明が解決しようとする課題】
【０００４】
しかしながら、未成年者、特に児童による電子メールを用いた情報伝達手段は、電子メールの使い方を間違えると、学校生活などの教育の場においてマイナスの影響をもたらすことにもなる。例えば、学習時間など有効に使うべき時間が、電子メールによる情報交換に使われる。この結果、学習時間が減少し、教育に支障を来すこともおそれもある。
【０００５】
また、最近では、共働きの増加により、児童の帰宅時に保護者が自宅にいない家庭も増えており、これに伴い帰宅途中に児童が誘拐されるなどの事件も増加している。ここで、学校側では、集団下校を指導しているが、その後、児童が友人と遊びに行った際に誘拐される場合も考えられる等の問題が存在しているため、保護者は、本来滞在しているべきでない場所に児童がいる場合には、即時にその位置を知りたいという要望もある。
【０００６】
そこで、本発明は、上記問題に鑑み、ユーザーの利便性を確保しつつ、電子メールによる通信機能を優れた学習支援ツールとして利用することができるとともに、本来滞在しているべきでない場所に児童がいる場合に、即時に位置情報を取得することができる通信システム及び通信方法を提供することを目的とする。
【課題を解決するための手段】
【０００７】
本発明は、電子メールによる通信が可能な通信システムであって、通信システムの動作を総括的に制御する制御手段と、所定の情報を入力可能な情報入力手段と、情報入力手段によって入力された情報が所定の条件を具備するか否かについて判断する判断手段と、現在の位置情報を取得する位置情報取得手段と、電子メールの送信データを作成する電子メール作成手段と、電子メールの送信を行う電子メール送信手段と、電子メールの受信を行う電子メール受信手段と、電子メールの受信データの本文を閲覧する電子メール閲覧手段と、電子メール作成手段を有効とするとともに、電子メール送信手段を無効にし、且つ、電子メール受信手段を有効とするとともに、電子メール閲覧手段を無効にするＯＦＦモードと、少なくとも電子メール送信手段及び電子メール閲覧手段を有効にするＯＮモードとを切り換える電子メール通信モード切換手段とを有し、制御手段は、判断手段による判断結果に応じて、電子メール通信モード切換手段によるモードの切り換えを実行させ、電子メール受信手段及び電子メール閲覧手段は、電子メール通信モード切換手段のＯＮモード又はＯＦＦモードに基づいて、電子メールの送信、及び電子メールの閲覧を実行又は停止し、制御手段は、位置情報取得手段が取得した位置情報が所定の設定領域外である場合には、判断手段による判断結果に関わらず、所定の通信端末に対して現在位置情報を含めた電子メールを送信させる。
【０００８】
また、他の発明は、電子メールによる通信が可能な通信システムを用いた通信方法であって、
（１）電子メールの送信データを作成する電子メール作成手段を有効にするとともに電子メールの送信を行う電子メール送信手段を無効にし、且つ、電子メールの受信を行う電子メール受信手段を有効にするとともに電子メールの受信データの本文を閲覧する電子メール閲覧手段を無効にするＯＦＦモードにおいて、送信データの作成を許可するとともに、電子メールを受信するＯＦＦモードステップと、
（２）電子メール送信手段、及び電子メール閲覧手段を無効にした状態で、情報入力手段を通じて所定の情報の入力を受け付けるとともに、入力された情報が所定の条件を具備するか否かについて判断する判断ステップと、
（３）判断ステップによる判断結果に応じて、少なくとも電子メール通信手段、及び電子メール閲覧手段を有効にするＯＮモードに切り換え、当該電子メールの送信を行うとともに、当該電子メールの閲覧を許可するＯＮモードステップと
を有し、
判断ステップでは、現在の位置情報を取得する位置情報取得手段により情報入力手段の現在位置を取得し、ＯＮモードステップでは、位置情報取得手段が取得した位置情報が所定の設定領域外である場合に、判断手段による判断結果に関わらず、所定の通信端末に対して現在位置情報を含めた電子メールを送信させる。
【０００９】
これらの発明によれば、判断手段による判断結果を、児童用学習問題の正解の有無とすれば、利用者が電子メールの通信機能を利用する度に、利用者は否応無しに学習することになる。これが繰り返されることにより、利用者の学習時間が増加していき、また学習効果が高くなる。この結果、携帯電話装置を学習支援ツールとして利用することができ、学校教育の場で有効に活用することができる。特に、本願発明では、ＯＦＦモード時においても、電子メール作成手段は有効となるように設定されているので、例えば、予め電子メール内容の入力を行って保存させ、その後、時間が空いた際に問題を解いて、電子メールを送信させることができるなど、ユーザーの利便性を確保しつつ、学習支援の充実を図ることができる。また、これらの発明によれば、判断手段による判断結果を、児童用学習問題の正解の有無とすれば、児童が電子メールを閲覧する際に、必ず問題を解くこととなり、その結果、児童の学力が向上する。したがって、本願発明によれば、電子メールによる通信機能を優れた学習支援ツールとして利用することができる。特に、本願発明では、ＯＦＦモード時においても、電子メール受信手段は有効となるように設定されているので、ユーザーは、本文が見られないながらも、相手側から送信された電子メールの着信は知ることができ、ユーザーの利便性を確保しつつ、学習支援の充実を図ることができる。
【００１０】
また、本発明によれば、制御手段は、位置情報取得手段が取得した位置情報が所定の設定領域外である場合には、判断手段による判断結果に関わらず、所定の通信端末に対して現在位置情報を含めた電子メールを送信させるので、例えば、自宅及び学校から離れた場所など、児童が本来滞在しているべきでない場所にいる場合には、即時に保護者に対して児童の位置情報を含めたメールが送信されることとなる。その結果、保護者は即時に位置情報を取得することができるので、事件や事故の発生を未然に防止することができる。
【００１３】
上記発明において、制御手段は、電子メールの利用者が独自に学習する学習機能に関する問題を、当該問題を蓄積する記憶手段から取得して出力手段に出力させる機能をさらに有し、制御手段は、問題を出力する際、位置情報取得手段による位置情報に応じて、当該位置情報に関連付けられた地域に特化した問題を出力し、判断手段は、情報入力手段が受け付けた問題に対する解答情報が、各利用者における学習結果の情報が集計されて算出された問題に対する正解率又は偏差値を定めた基準データをクリアしているか否かにより合否判定を行い、学習結果の情報を通信ネットワーク上のサーバに出力させ、サーバでは、各利用者の学習結果の情報を記憶するとともに、サンプリングして他の教育システムに提供可能とする。
【発明の効果】
【００１４】
本発明によれば、ユーザーの利便性を確保しつつ、電子メールによる通信機能を優れた学習支援ツールとして利用することができるとともに、本来滞在しているべきでない場所に児童がいる場合に、即時に位置情報を取得することができる。
【図面の簡単な説明】
【００１５】
【図１】本発明の第１実施形態に係る通信システムのブロック図である。
【図２】本発明の第１実施形態に係る通信システムの電子メール通信機能の管理処理を示すフローチャートである。
【図３】第２実施形態に係る通信システムの概略構成を示す説明図である。
【図４】第２実施形態に係る携帯電話装置の内部構造を示すブロック図である。
【図５】第２実施形態に係る電子メールサーバの内部構造を示すブロック図である。
【図６】第２実施形態に係る電子メールの通信方法の全体概要を示すフローチャート図である。
【図７】第２実施形態に係る学習モード時の電子メール作成・送信処理の動作を示すフローチャート図である。
【図８】第２実施形態に係る学習モード時の電子メール受信・閲覧処理の動作を示すフローチャート図である。
【図９】第２実施形態に係る緊急通知処理時の動作を示すフローチャート図である。
【図１０】第３実施形態に係る本実施形態に係る携帯電話装置の内部構造を示すブロック図である。
【図１１】第３実施形態に係る電子メールサーバの内部構造を示すブロック図である。
【図１２】第３実施形態に係る学習モード時の電子メール作成・送信処理の動作を示すフローチャート図である。
【図１３】第３実施形態に係る学習モード時の電子メール受信・閲覧処理の動作を示すフローチャート図である。
【図１４】第３実施形態に係る緊急通知時の動作を示すフローチャート図である。
【発明を実施するための形態】
【００１６】
[第１実施形態]
本発明の第１実施形態に係る通信システムについて、図面を参照して説明する。なお、本実施形態では、通信システムの一例として、電子メールの通信機能を備えた携帯電話装置を例にとり説明するが、本発明は、携帯電話装置に限られるものではなく、携帯端末装置一般の通信機器、ＰＨＳ、スマートフォン、タブレット型端末装置、デスクトップ型又はノート型の端末装置、サーバなどのいずれかの各単体、或いはこれらを適宜組みあわせた複数の通信装置の集合体が含まれたものと定義する。
【００１７】
図１に示すように、通信システムの一例である携帯電話装置１０は、主として、各部を総括的に制御する制御部１２と、送受信部１４と、記憶部１６と、操作部１８と、メイン表示部２５と、サブ表示部２２と、通話用スピーカ２４と、案内用スピーカ２６と、マイクロフォン２８と、を備えている。
【００１８】
メイン表示部２５は、制御部１２による指令に応じて、操作案内、動作状況、受信メッセージ等を表示する。サブ表示部２２は、制御部１２による指令に応じて、時刻表示等の補助的な表示を表示する。
【００１９】
操作部１８は、所定の情報を入力可能な入力インターフェースであり、電話番号等を制御部１２へ入力するためのテンキー、及び動作モードの切替等の各種指令を制御部１２へ入力するためのファンクションキーを有する。マイクロフォン２８は、通話時に音声を入力するためのものである。
【００２０】
通話用スピーカ２４は、通話時に通信相手から送られてきた音声信号を再生する音声出力装置であり、案内用スピーカ２６は、制御部１２による指令に応じて、着信音や案内音を発生する音声出力装置である。
【００２１】
制御部１２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、主として、中央処理装置（ＣＰＵ）１２Ａと、デジタル信号処理装置（ＤＳＰ）１２Ｂと、ランダムアクセスメモリ（ＲＡＭ）１２Ｃと、リードオンメモリ（ＲＯＭ）１２Ｄとを備えており、プログラムを適宜読み込んで実行することにより種々の機能モジュールを仮想的に構築し、構築された各機能モジュールによって、各部の動作制御、ユーザー操作に対する種々の処理を行っている。
【００２２】
また、制御部１２は、電子メール通信モード切換部１２Ｅを備えている。電子メール通信モード切換部１２Ｅは、制御部１２のＣＰＵ１２Ａからの指令に基づいて、電子メール通信機能をＯＮにするＯＮモードと、電子メール通信機能をＯＦＦにするＯＦＦモードと、を切り換える。
【００２３】
制御部１２は、携帯電話装置１０の起動時から電子メール通信機能を利用するまでは電子メール通信モード切換部１２ＥをＯＦＦモードに設定し、操作部１８によって入力された情報が所定の条件を具備する場合に、電子メール通信モード切換部１２ＥをＯＮモードに設定する。
【００２４】
具体的には、電子メール通信モード切換部１２Ｅは、電子メール通信機能をＯＮに切り換える際に送受信部１４の電子メール通信フラグをＯＮに設定し、電子メール通信機能をＯＦＦに切り換える際に送受信部１４の電子メール通信フラグをＯＦＦに設定する。
【００２５】
ここで、「電子メール通信フラグ」とは、「電子メール送信フラグ」と、「電子メール受信フラグ」と、がある。このため、電子メール送信フラグは、ＯＮ／ＯＦＦの状態があり、電子メール受信フラグは、ＯＮ／ＯＦＦの状態がある。
【００２６】
そして、本実施形態では、「電子メール通信フラグがＯＮ」である場合は、電子メール送信フラグがＯＮであり、かつ電子メール受信フラグがＯＮである状態と定義する。また、「電子メール通信フラグがＯＦＦ」である場合は、電子メール送信フラグがＯＦＦであり、かつ電子メール受信フラグがＯＦＦである状態と
定義する。
【００２７】
送受信部１４には、通信ネットワーク７に対してデータを送受信する通信インターフェースであり、基地局との間で無線信号を授受するためのアンテナ３０が接続されている。また、送受信部１４は、電子メール通信モード切換部１２Ｅにより切り換えられたＯＮモード（電子メール通信フラグがＯＮ）又はＯＦＦモード（電子メール通信フラグがＯＦＦ）に基づいて、電子メールの送受信を実行又は停止する。
【００２８】
具体的には、送受信部１４では、電子メール通信フラグがＯＮに設定されている電子メールアドレスを使用した電子メールの送信及び受信が可能になり、電子メール通信フラグがＯＦＦに設定されている電子メールアドレスを使用した電子メールの送信及び受信が不可能になる。
【００２９】
次に、本発明である通信システムの一実施形態に係る端末装置の電子メール通信機能の管理処理について説明する。
【００３０】
図１及び図２に示すように、携帯電話装置１０の起動開始後（電源ＯＮ後）は、制御部１２のＣＰＵ１２Ａにより電子メール通信機能がＯＦＦモードに設定されている（Ｓ１０）。具体的には、制御部１２のＣＰＵ１２Ａからの指令を受けて、電子メール通信モード切換部１２Ｅにより送受信部１４の電子メール通信フラグがＯＦＦに設定される。
【００３１】
これにより、携帯電話装置１０を用いた電子メールの送信又は受信が不可能になる。換言すれば、送受信部１４において、電子メール通信フラグがＯＦＦに設定されている電子メールアドレスを使用した電子メールの送信及び受信が不可能になる。
【００３２】
なお、携帯電話装置１０の起動開始後（電源ＯＮ後）に電子メール通信機能がＯＦＦモードに設定されるのは、後述するＳ１７において電子メール通信機能がＯＦＦモードに既に設定されているからである。
【００３３】
次に、電子メールを送信又は受信を行う場合（Ｓ１１：ＹＥＳ）には、制御部１２のＣＰＵ１２Ａにより学習モードに切り換えられる（Ｓ１２）。「学習モード」とは、電子メールの利用者が独自に学習するためのモードである。例えば、メイン表示部２５に、所定のクイズ又は問題が表示されたり、案内用スピーカ２６から所定のクイズ又は問題が出力される。これに対して、利用者は、操作部１８によって所定の情報を入力したり、マイクロフォン２８を介して音声入力することにより解答する。
【００３４】
ここで、メイン表示部２５に表示される所定のクイズ又は問題の内容は、データとして、予め記憶部１６に記憶されている。記憶部１６に記憶される所定のクイズ又は問題の内容データは、定期的に、更新することができる。例えば、携帯電話装置１０により外部のサーバに対してアクセスし、そして、新しいクイズや問題の内容を携帯電話装置１０に対してダウンロード等することにより、記憶部１６のクイズ又は問題の内容データを容易に更新することが可能になる。
【００３５】
また、クイズ又は問題の内容データの更新タイミングは、電子メールを利用する直前でもよいし、携帯電話装置１０を起動するときでもよい。さらに、一定の期間経過毎に、クイズ又は問題の内容データを更新してもよい。
【００３６】
また、利用者が解くクイズや問題の難易度については、操作部１８からクイズ又は問題のレベル（例えば、高レベル・中レベル・低レベル）を選択することができるようになっている。また、クイズ又は問題には、例えば、観光やイベントなど地域に特化した問題が含まれており、携帯電話装置１０の位置情報に応じて、関連付けされた各地域の問題が選択され、出題されるようになっている。
【００３７】
このようにして、利用者は、電子メールを送信又は受信する際に、Ｓ１２の学習モードにおいて所定の学習をすることが必須条件になる。このため、携帯電話装置１０が利用者の学習支援ツールとして機能することになり、電子メールを利用する度に利用者の学習効果を高あることができる。この結果、電子メールを利用すればするほど、一層、学習効果が高くなる。
【００３８】
次に、Ｓ１２の学習モードにおいて利用者が操作部１８を用いて入力した情報又はマイクロフォン２８を用いて音声入力した内容の正誤判定が実行される（Ｓ１３）。
【００３９】
ここで、Ｓ１３における解答の正無判定は、携帯電話装置１０の制御部１２のＣＰＵ１２Ａを用いて実行してもよいし、或いは外部のサーバのＣＰＵにより実行してもよい。
【００４０】
携帯電話装置１０の制御部１２のＣＰＵ１２Ａを用いて正誤判定を実行する場合には、携帯電話装置１０の記憶部１６にクイズ又は問題の正解データが予め記憶されており、この正解データを用いてＣＰＵ１２Ａが利用者によって入力された情報の正誤を判断する。このとき、マイクロフォン２８を介して音声入力された内容は、ＣＰＵ１２Ａの音声認識部（図示省略）により解析されて正誤が判定される。
【００４１】
また、外部のサーバのＣＰＵを用いて正誤判定を実行する場合には、利用者が操作部１８によって入力された情報或いはマイクロフォン２８を介して音声入力された情報をデータに変換して、送受信部１４から外部のサーバに転送する。
【００４２】
外部のサーバの記憶部（例えば、ＲＯＭなど）にはクイズ又は問題の正解データが予め記憶されており、外部のサーバのＣＰＵがこの正解データを用いて携帯電話装置１０から転送されてきた情報の正誤を判断する。なお、外部のサーバのＣＰＵを用いて正誤判定を実行する場合には、その正誤判定結果が携帯電話装置１０に転送される。
【００４３】
次に、利用者の解答結果が所定の基準をクリアしているか否かの合否判定が実行される（Ｓ１４）。利用者の解答結果が所定の基準をクリアしているか否かの合否判定は、携帯電話装置１０の制御部１２のＣＰＵ１２Ａを用いて実行してもよいし、或いは外部のサーバのＣＰＵにより実行してもよい。
【００４４】
ここで、携帯電話装置１０の制御部１２のＣＰＵ１２Ａを用いて合否判定する場合には、携帯電話装置１０の記憶部１６に合格となる基準データが予め記憶されており、この基準データを用いて制御部１２のＣＰＵ１２Ａが合否判定する。なお、「基準データ」とは、例えば、正答率データや偏差値データなどが該当する。
【００４５】
また、外部のサーバのＣＰＵを用いて合否判定する場合には、外部のサーバの記憶部（例えば、ＲＯＭなど）に合格となる基準データが予め記憶されており、この基準データを用いて外部のサーバのＣＰＵが合否判定する。なお、「基準データ」とは、例えば、正答率データや偏差値データなどが該当する。また、外部のサーバのＣＰＵを用いて合否判定する場合には、その合否判定結果が携帯電話装置１０に転送される。
【００４６】
Ｓ１４において利用者の解答結果が所定の基準をクリアしていないと判定された場合（Ｓ１４：ＮＯ）には、学習モードの終了を選択しない限り、Ｓ１２の学習モードに再度移行する。ここで、学習モードの終了を選択した場合には、電子メール通信機能の管理処理が終了し、依然として電子メールが使用できない状態が継続される。
【００４７】
なお、Ｓ１４において利用者の解答結果が所定の基準をクリアしていると判定された場合（Ｓ１４：ＹＥＳ）には、制御部１２のＣＰＵ１２Ａにより電子メール通信機能がＯＮモードに設定される（Ｓ１５）。具体的には、制御部１２のＣＰＵ１２Ａからの指令を受けて、電子メール通信モード切換部１２Ｅにより送受信部１４の電子メール通信フラグがＯＮに切り換えられる。
【００４８】
これにより、携帯電話装置１０を用いた電子メールの送信又は受信が可能になる（Ｓ１６）。換言すれば、送受信部１４において、電子メール通信フラグがＯＮに設定されている電子メールアドレスを使用した電子メールの送信及び受信が可能になる。
【００４９】
ここで、Ｓ１５の電子メール通信機能がＯＮモードでは、Ｓ１６において利用者が電子メールを複数回、送信及び受信することができるように設定してもよいし、１回のみ送信及び受信できるように設定してもよい。さらに、Ｓ１５の電子メール通信機能がＯＮモードでは、Ｓ１６において利用者が電子メールを送信又は受信のいずれか一方のみが複数回可能になるように設定してもよいし、送信又は受信のいずれか一方のみが１回のみ可能になるように設定してもよい。
【００５０】
また、Ｓ１５の電子メール通信機能がＯＮモードでは、Ｓ１６における電子メールの送受信可能な条件の一例として、利用者が学習モード（Ｓ１２）で獲得した得点に応じて電子メールの送受信が可能な時間を設定するようにしてもよい。例えば、利用者が９０点を獲得した場合には、電子メールの送受信が可能となる期間が１週間になるように設定したり、或いは、利用者が６０点を獲得した場合には、電子メールの送受信が可能となる期間が３日間になるように設定してもよい。この場合には、例えば、制御部１２は内蔵されたタイマや、通信ネットワーク上に設置されたサーバ等から時刻情報を取得し、これらにより使用時間を計測することができる。
【００５１】
さらに、Ｓ１５の電子メール通信機能がＯＮモードでは、Ｓ１６における電子メールの送受信可能な条件の一例として、利用者が学習モード（Ｓ１２）で獲得した得点に応じて電子メールの送受信可能な回数を調整するようにしてもよい。例えば、利用者が１０問正解した場合には、電子メールの送受信可能な回数が１０回になるように設定したり、或いは、利用者が６問正解した場合には、電子メールの送受信可能な回数を６回になるように設定してもよい。
【００５２】
この場合には、電子メールを送受信した回数は、制御部１２のＣＰＵ１２Ａ又は電子メール通信モード切換部１２Ｅにおいて管理してもよいし、送受信部１４において管理してもよい。例えば、送受信部１４の電子メール通信フラグ又は及び電子メール受信フラグをＯＮにした回数をカウントするカウンタを制御部１２の各構成要素又は送受信部１４において内蔵しておき、カウンタにより電子メール送信フラグ又は及び電子メール受信フラグがＯＮになった回数をカウントアップ又はカントダウンしてカウンタ値が所定の規定回数であることを示す値又はゼロになった時点でＳ１７において電子メール通能をＯＦＦモードにするようにしてもよい。
【００５３】
また、電子メールを送受信した回数については、サーバ側で管理する構成としてもよい。この場合には、例えば、メールサーバ側で、電子メールを受信又は送信した回数をカウントするカウンタを備えておき、カウンタにより電子メールを送信又は受信した際の回数をカウントアップ又はカウントダウンしてカウント値が所定の規定回数であることを示す値又はゼロとなった時点で、メールサーバにおける電子メールの中継処理を停止するように制御してもよい。
【００５４】
なお、Ｓ１４のステップでは、合否判定の他に、利用者の正答率、偏差値、志望校合否判定などの更新後の最新情報がメイン表示部２５に表示される。利用者は、メイン表示部２５を参照することにより、自己の実力やランキングなどを的確に把握することができる。なお、この利用者の正答率、偏差値、志望校合否判定などの情報は、記憶部１６に蓄積され、Ｓ１４のステップ時以外でも、所定のユーザー操作に応じて、いつでもメイン表示部２５に表示させることが可能となっている。
【００５５】
次に、Ｓ１６のステップが終了すると、制御部１２のＣＰＵ１２Ａにより電子メール通信機能が自動的にＯＦＦモードに設定される（Ｓ１７）。具体的には、制御部１２のＣＰＵ１２Ａからの指令を受けて、電子メール通信モード切換部１２Ｅにより送受信部１４の電子メール通信フラグがＯＦＦに切り換えられる。
【００５６】
これにより、携帯電話装置１０を用いた電子メールの送信又は受信が不可能になる。換言すれば、送受信部１４において、電子メール通信フラグがＯＦＦに設定されている電子メールアドレスを使用した電子メールの送信及び受信が不可能になる。
【００５７】
次に、Ｓ１７において制御部１２のＣＰＵ１２Ａにより電子メール通信機能がＯＦＦモードに設定された後は、携帯電話装置１０の電源がＯＦＦにされない限り（Ｓ１８：ＮＯ）、Ｓ１２のステップの直前に移行する。以後、電子メールを利用する場合には、Ｓ１２からＳ１７の各ステップを経る。そして、これが繰り返される。
【００５８】
一方、Ｓ１７において制御部１２のＣＰＵ１２Ａにより電子メール通信機能がＯＦＦモードに設定された後、携帯電話装置１０の電源がＯＦＦにされた場合（Ｓ１８：ＹＥＳ）には、図２の電子メール通信機能の管理処理は終了する。
【００５９】
ここで、携帯電話装置１０の利用者の学習結果が外部のサーバに出力されて、そのサーバの記憶部に記憶されていくことにより、携帯電話装置１０の利用者全員の学習結果のサンプリングをとることができる。そして、他人を特定しない条件でこのサンプリングを学校や塾の教育システムに提供することにより、利用者の学習進度や実力を教師や講師が客観的に把握することができる。この結果、利用者の学習効果を一層高めることが可能になり、学校教育の場において有効活用することができる。
【００６０】
以上のように、本実施形態の携帯電話装置１０によれば、利用者が電子メールの通信機能を利用する度に、利用者は否応無しに学習することになる。これが繰り返されることにより、利用者の学習時間が増加していき、また学習効果が高くなる。この結果、携帯電話装置１０を学習支援ツールとして利用することができ、学校教育の場で有効に活用することができる。
【００６１】
なお、上記実施形態では、「電子メール通信機能がＯＮ」である場合は、「電子メール通信フラグがＯＮ」であり、これは、「電子メール送信フラグがＯＮであり、かつ電子メール受信フラグがＯＮ」である状態と定義した、また、「電子メール通信機能がＯＦＦ」である場合は、「電子メール通信フラグがＯＦＦ」であり、これは、「電子メール送信フラグがＯＦＦであり、かつ電子メール受信フラグがＯＦＦ」である状態と定義した。すなわち、電子メールの送信及び受信が一体的にＯＮ又はＯＦＦになるように制御されている。
【００６２】
しかし、上記した構成に限られるものではなく、「電子メール通信機能がＯＮ」である場合は、「電子メール通信フラグがＯＮ」であり、これは、「電子メール送信フラグがＯＮ」又は「電子メール受信フラグがＯＮ」のいずれか一方である状態としてもよい。また、「電子メール通信機能がＯＦＦ」である場合には、「電子メール通信フラグがＯＦＦ」であり、これは、「電子メール送信フラグがＯＦＦであり、かつ電子メール受信フラグがＯＦＦ」である状態としてもよい。この構成によれば、「電子メール通信機能がＯＮ」である場合は、電子メールの送信又は受信のいずれか一方のみの実行が可能になる。
【００６３】
すなわち、図２のＳ１０及びＳ１７における電子メール機能のＯＦＦモード設定では、「電子メール通信フラグがＯＦＦ」であるため、「電子メール送信フラグがＯＦＦであり、かつ電子メール受信フラグがＯＦＦ」の状態になる。このとき、電子メールの送信及び受信が不可能になる。
【００６４】
一方、図２のＳ１５における電子メール機能のＯＮモード設定では、「電子メール通信フラグがＯＮ」であるため、「電子メール送信フラグがＯＮ」又は「電子メール受信フラグがＯＮ」のいずれか一方である状態になる。このとき、電子メールの送信のみ又は受信のみが可能になる。
【００６５】
[第２実施形態]
次いで、本発明の第２実施形態について説明する。上述した第１実施形態では、送受信部１４において、「電子メール通信フラグ」のＯＮ／ＯＦＦを切り換えることで、電子メール通信機能を制御して、電子メールの送受信を実行又は停止させたが、第２実施形態では、さらに、電子メールの作成、送信、受信、及び閲覧の機能単位でＯＮ／ＯＦＦを切り換え、ユーザーの利便性を確保しつつ、より多様な学習支援を提供することを特徴とする。
【００６６】
（通信システムの概略構成）
先ず、本実施形態に係る通信システムの概略構成について説明する。図３は、第２実施形態に係る通信システムの概略構成を示す説明図である。なお、本実施形態において、上述した第１実施形態と同一の構成要素には同一の符号を付し、その機能等は特に言及しない限り同一であり、その説明は省略する。
【００６７】
同図に示すように、電子メールによる通信が可能な通信システムは、通信ネットワーク７を介して電子メールを送受信するシステムであって、通信ネットワーク７上には、メールサーバ５が配置されており、さらに通信ネットワークには、中継装置６と、中継装置６に接続された無線基地局４と、無線基地局４を通じて無線通信が可能な携帯電話装置１０Ａと、保護者用端末２０とを備えている。
【００６８】
通信ネットワーク７は、通信プロトコルＴＣＰ／ＩＰを用いて種々の通信回線（電話回線やＩＳＤＮ回線、ＡＤＳＬ回線、光通信回線などの公衆回線、専用回線、無線通信網）を相互に接続して構築される分散型の通信ネットワーク（ＩＰ網）であり、この通信ネットワーク７には、インターネットの他、１０ＢＡＳＥ−Ｔや１００ＢＡＳＥ−ＴＸ等によるイントラネット（企業内ネットワーク）や家庭内ネットワークなどのＬＡＮなども含まれる。また、通信ネットワーク７には、有線接続やWifi通信を介しての接続が可能である。
【００６９】
無線基地局４は、中継装置６を通じて通信ネットワーク７に接続され、携帯電話装置１０との間で無線通信接続を確立し、携帯電話装置１０Ａによる通話やデータ通信を提供する装置である。中継装置６は、通信ネットワーク７に接続するためのモデムやターミナルアダプタ、ゲートウェイ装置等のノード装置であり、通信経路の選択や、データ（信号）の相互変換を行い、無線基地局４と、通信ネットワーク７との間における中継処理を行う。
【００７０】
メールサーバ５は、通信ネットワーク７上に配置され、ネットワーク内における電子メールの送信や受信を行うサーバコンピューター或いはその機能を持ったソフトウェアである。具体的には、他ネットワークのユーザーに電子メールを送信するＳＭＴＰサーバ機能と、自ネットワーク内のユーザー宛てに送られてきた電子メールを保管し、ユーザーからの受信要求に対応するＰＯＰ３サーバ機能やＩＭＡＰ４サーバ機能などで構成されている。
【００７１】
保護者用端末２０は、ＣＰＵによる演算処理機能、及び通信インターフェースによる通信処理機能を備えた保護者２用の情報処理端末であり、具体的には、保護者２が使用するパーソナルコンピュータ等の汎用コンピューター２０Ａやスマートフォン２０Ｂである。この保護者用端末２０としては、これらの汎用コンピューターやスマートフォンの他、機能を特化させた専用装置により実現することができ、モバイルコンピューター、ＰＤＡ（Personal Digital Assistance）を用いることもできる。また、この保護者用端末２０は、通信ネットワーク７にアクセスして、データの送受信を行うブラウザ機能も備えている。このブラウザ機能は、Ｗｅｂページを閲覧するためのアプリケーションソフトであり、通信ネットワーク７からＨＴＭＬ（HyperText Markup Language）ファイルや画像ファイル、音楽ファイルなどをダウンロードし、レイアウトを解析して表示・再生する。フォームを使用してユーザーがデータをＷｅｂサーバに送信したり、ＪａｖａＳｃｒｉｐｔ（登録商標）やＦｌａｓｈ、及びＪａｖａ（登録商標）などで記述されたアプリケーションソフトを動作させたりすることも可能である。
【００７２】
携帯電話装置１０Ａは、児童１が利用する、無線通信を利用した携帯電話機であり、一般的な基地局等の中継点と無線で通信し、通話やデータ通信等の通信サービスを移動しつつ受けることができる。また、携帯電話装置１０Ａは、無線基地局４との間で無線通信を行う機能と、アプリケーションを実行する機能も備えている。この携帯電話機の通信方式としては、例えば、ＦＤＭＡ方式、ＴＤＭＡ方式、ＣＤＭＡ方式、Ｗ−ＣＤＭＡの他、ＰＨＳ（Personal Handyphone System）方式等が挙げられる。また、上述した通信方式とは別の無線通信インターフェースとして、無線ＬＡＮの規格等に準じたＩＰパケットの送受による通信方式に対応した機能も備えている。さらに、この携帯電話装置１０Ａは、デジタルカメラ機能、アプリケーションソフトの実行機能、或いはＧＰＳ機能等の機能が搭載され、携帯情報端末(ＰＤＡ)としての機能も果たす。
【００７３】
（携帯電話装置１０Ａの内部構造）
次いで、上述した通信システムを構成する携帯電話装置１０Ａの内部構造について説明する。図４は、本実施形態に係る携帯電話装置１０Ａの、メール機能に関する内部構造を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００７４】
図４に示すように、通信システムの一例である携帯電話装置１０Ａは、上述した第１実施形態に加え、さらに、位置情報取得部２３とを備えている。
【００７５】
位置情報取得部２３は、情報入力手段の現在位置を取得するモジュールであり、例えば、衛星３からのＧＰＳ信号に基づいて、現在位置の座標を演算したり、無線基地局４の基地局識別子や、この基地局からの信号強度などの電波状況から、携帯電話装置１０Ａ自身で自機の位置情報を取得することが可能となっている。記憶部１６は、各種のデータやプログラムを蓄積するメモリ装置であり、本実施形態では、緊急通知先のメールアドレスや、緊急通知のための設定領域データが蓄積されている。なお、この設定領域データは、緯度・経度等の座標情報を基にしたデータであり、自宅や学校など、本来、児童が滞在しているべき所定の範囲が設定されている。また、この設定領域データは、利用者毎に設定領域の範囲等を設定することが可能であり、例えば、自宅及び学校を中心として半径数ｋｍ以内や、市町村又は学区毎に設定することが可能となっている。
【００７６】
本実施形態において、ＣＰＵ１２Ａには、アプリケーション実行系のモジュールとして、電子メール実行部１１１と、電子メール通信モード切換部１１５と、判断部１１２と、ポイント管理部１１４とが備えられている。
【００７７】
電子メール実行部１１１は、ユーザー操作に応じて、電子メールのアプリケーションを実行するモジュールであり、電子メールの送信データを作成する機能を有する電子メール作成部１１１ａや、電子メールの受信データの本文を閲覧するための機能を有する電子メール閲覧部１１１ｂや、電子メールを送信するための通信機能を有する電子メール送信部１１１ｃと、電子メールを受信するための通信機能を有する電子メール受信部１１１ｄと備えている。
【００７８】
この電子メール送信部１１１ｃ、電子メール受信部１１１ｄ、電子メール閲覧部１１１ｂ、及び  電子メール作成部１１１ａは、電子メール通信モード切換部１１５によって切り換えられるＯＮモード又はＯＦＦモードに基づいて、個別に有効化又は無効化され、電子メールの送信、受信、作成、及び閲覧の処理を実行又は停止する。
【００７９】
判断部１１２は、入力された情報が所定の条件を具備するか否かについて判断するモジュールであり、本実施形態では、除外フラグ参照部１１２ａと、学習機能実行部１１２ｂと、使用条件判断部１１２ｃとを備えている。
【００８０】
除外フラグ参照部１１２ａは、電子メールの送信、受信、作成、及び閲覧の機能を常時許可する対象となるメールアドレスのリスト（ホワイトリスト）を参照するモジュールである。この電子メールの発信元、又は送信先のアドレスがホワイトリストに含まれるか否かの判断結果データは、使用条件判断部１１２ｃに入力される。なお、本実施形態において、このホワイトリストは、例えば、親や学校の先生などのメールアドレスとなっており、記憶部１６に蓄積されているものとする。
【００８１】
学習機能実行部１１２ｂは、クイズや問題など、電子メールの利用者が独自に学習するためのアプリケーションを実行し、学習モードに遷移させるモジュールである。この「学習モード」とは、電子メールの利用者が独自に学習するためのモードであり、メイン表示部２５などにクイズや問題が表示されたり、案内用スピーカ２６から所定のクイズ又は問題が出力される。これに対し、利用者から操作部１８によって所定の情報が入力されたり、マイクロフォン２８を介して音声入力された答えと解答とを対比して正解か否かが判断される。ここで、利用者が問題やクイズに対して解答した場合には、その正解か否かの情報が使用条件判断部１１２ｃに入力される。
【００８２】
使用条件判断部１１２ｃは、除外フラグ参照部１１２ａ及び学習機能実行部１１２ｂからの情報データを取得し、これらの各データに基づいて、各種のモードを切り換える判断を行うモジュールである。具体的に、使用条件判断部１１２ｃは、学習機能実行部１１２ｂにおける正誤判定の結果についての判断結果によって、電子メールの機能の一部を制限する電子メール通信モードの設定及び解除を実行するか否かの判断を行う。
【００８３】
また、使用条件判断部１１２ｃは、携帯電話装置１０Ｂから送信された時刻情報又は現在位置を取得して、時刻又は現在位置が設定時刻又は設定の領域である場合に、操作部１８からの入力を無効とし、使用条件判断部１１２ｃによる判断結果に関わらず、電子メール機能の使用を禁止する授業モードへの切り換えを実行させる機能を備えている。具体的には、学校の授業中となる時刻や、学校の位置情報を設定時刻及び設定領域として設定している。なお、使用条件判断部１１２ｃは、現在時刻又は現在位置のいずれか一方のみの情報によりモードの切り換えを実行してもよいし、時刻情報及び位置情報の２つの条件を併せて判断してもよい。また、現在時刻については外部のサーバ装置から取得してもよいし、位置情報については、無線基地局４から取得する構成であってもよい。
【００８４】
さらに、使用条件判断部１１２ｃは、電子メール通信モードにおいて、保護者等など所定の宛先（ホワイトリスト）に対する使用制限の解除を行うか否かについても判断している。そして、使用条件判断部１１２ｃで判断された判断結果のデータは電子メール通信モード切換部１１５に入力される。また、使用条件判断部１１２ｃは、位置情報取得部２３から取得した位置情報を取得し、その位置情報が設定領域の範囲内か否かを判断する機能も備えており、位置情報が設定領域外である場合には、学習機能実行部１１２ｂの学習判断結果に関わらず、電子メール通信モード切換部１１５及び緊急通知処理部１１６を制御して緊急通知処理を実行させる。
【００８５】
なお、本実施形態において、携帯電話装置１０Ａの位置情報を取得する際には、所定時間毎にトリガー信号が発生して、位置情報を取得するようになっている。この場合には、予め、利用者から位置情報を取得する同意を取得しているものとする。なお、予め、同意を取得していない場合には、位置情報を取得する毎に同意を求める画像を表示させ、承諾となる操作信号を取得した場合にのみ位置情報を取得する構成でもよい。
【００８６】
緊急通知処理部１１６は、使用条件判断部１１２ｃから緊急通知処理の信号を受信した場合に、設定された宛先への緊急メールを自動で作成し、所定の通信端末に対して現在位置情報を含めた電子メールを送信する緊急通知処理を実行する。
【００８７】
電子メール通信モード切換部１１５は、使用条件判断部１１２ｃによる判断結果に応じて、電子メールの送信、受信、作成、及び閲覧の各機能を有効化又は無効化して、電子メール通信モードの切り換えを実行するモジュールである。具体的には、電子メール通信モード切換部１１５は、電子メールの作成・送信処理に関して、電子メール作成部１１１ａを有効にするとともに電子メール送信部１１１ｃを無効にするＯＦＦモードと、少なくとも電子メール送信部１１１ｃを有効にするＯＮモードとを切り換える処理を行う。
【００８８】
また、電子メール通信モード切換部１１５は、電子メールの受信・閲覧処理に関して、電子メール送信部１１１ｃを有効にするとともに電子メール閲覧部１１１ｂを無効にするＯＦＦモードと、少なくとも電子メール閲覧部１１１ｂを有効にするＯＮモードとを切り換える処理を行う。また、電子メール通信モード切換部１１５は、緊急通知処理時には、電子メール作成部１１１ａ、電子メール送信部１１１ｃを有効にする機能を備えている。
【００８９】
（メールサーバの内部構造）
次いで、通信ネットワーク７上に配置された、メールサーバ５の内部構造について説明する。図５は、本実施形態に係るメールサーバ５の内部構造を示すブロック図である。図５に示すように、メールサーバ５には、接続処理部５２と、通信部５１と、制御部５３と、記憶部５４とを備えている。
【００９０】
通信部５１は、パケットデータを送受信することにより各種データを通信ネットワーク７に対して送受信する通信デバイスである。本実施形態において、この通信部５１は、電子メールを送信及び受信する機能や、Ｗｅｂページをインターネット上に配信するＷｅｂサーバ機能を備えており、ＨＴＴＰやＳＭＴＰ等のプロトコルにより、携帯電話装置１０Ａ及び保護者用端末２０からのＷｅｂサイトへのアクセスや、携帯電話装置１０Ａ及び保護者用端末２０との電子メールの送受信を実行する。接続処理部５２は、無線基地局４と、無線基地局４が管轄する所定エリア内に在圏する携帯電話装置１０Ａとの無線通信を確立させるモジュールである。
【００９１】
記憶部５４は、電子メール通信システムに関する情報を蓄積するデータベースであり、本実施形態においては、会員に関する情報を保持する会員データベース５４ｃと、会員の履歴を集計する履歴集計データベース５４ｂと、学習機能に関するデータを蓄積する問題データベース５４ａとを備えている。
【００９２】
会員データベース５４ｃには、会員の識別番号に、会員の保護者名、児童名及び年齢、住所、及び保護者通知処理の設定領域データ、保護者及び児童の携帯電話番号、及びメールアドレスが関連付けて記録されている。また、履歴集計データベース５４ｂには、学習機能アプリの成績など利用履歴が蓄積され、問題データベース５４ａは、学習機能に関するクイズや問題、及びその解答などの各種データが蓄積されている。
【００９３】
制御部５３は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、各部の動作制御、ユーザー操作に対する種々の処理を行っている。そして、制御部５３には、使用条件設定部５３ａと、使用状況管理部５３ｂと、認証部５３ｃと、会員登録部５３ｄとを備えている。
【００９４】
認証部５３ｃは、通信ネットワーク７を介して取得された従業者識別情報に基づいて、認証処理を実行するモジュールであり、会員データベース５４ｃを照合することによって、アクセス者にその権利があるか否かや、そのアクセス者が本人であるか否かなどを確認する。なお、本実施形態において、認証部５３ｃは、利用時毎にＩＤ及びパスワードの入力を求めてもよいし、使用者の承諾がある場合には、端末情報のみで認証を許可するようにしてもよい。
【００９５】
会員登録部５３ｄは、本システムを受けるための会員登録を受け付け、会員データベース５４ｃに記録するモジュールである。ここで、会員登録部５３ｄは、従業者登録の際に、従業者を特定するための識別子として、会員識別番号であるＩＤを登録し、従業者の情報として、会員となる保護者名、携帯電話装置１０Ａを使用する児童名、住所、携帯電話番号、メールアドレス、ホワイトリスト、学校の位置情報などを登録する。
【００９６】
使用状況管理部５３ｂは、各携帯電話装置１０Ａから送信された使用履歴や、学習機能の成績結果などのデータを、会員毎に履歴集計データベース５４ｂに蓄積するモジュールである。使用条件設定部５３ａは、会員情報に基づいて、携帯電話装置１０Ａの使用条件を設定し、使用条件に応じたクイズ又は問題の内容データや、ホワイトリストデータ等を携帯電話装置１０Ａに送信する。なお、各携帯電話装置１０Ａから送信される各データは、電子メールの送信及び受信毎に取得するのではなく、所定時間毎や、１日に一回など、複数回分のデータを纏めて取得している。
【００９７】
（電子メールの通信方法）
以上の構成を有する通信システムを動作させることによって、電子メールの通信方法を実施することができる。本実施形態では、先ず、通信システムの動作の概略について説明する。なお、本実施形態における電子メール通信機能の制御は、ＣＰＵ上のアプリケーションレベルで行い、電子メールの送信機能と受信機能とは、独立して実行及び停止の制御が可能である。図６は、本実施形態に係る電子メールの通信方法の全体概要を示すフローチャート図である。
【００９８】
図６に示すように、携帯電話装置１０Ａの起動開始後（電源ＯＮ後）は、制御部１２のＣＰＵ１２Ａにより、電子メール機能の初期設定がされる。具体的には、電子メールの作成・送信処理に関する機能と、電子メールの受信・閲覧処理に関する機能とがＯＦＦモードに設定されている（Ｓ１０１）。
【００９９】
この電子メールの作成・送信処理に関する機能のＯＦＦモード設定は、制御部１２の使用条件判断部１１２ｃからの指令を受けて、電子メール通信モード切換部１１５によって、電子メール作成部１１１ａが有効になるとともに、電子メール送信部１１１ｃが無効となる処理がなされ、送信処理のＯＦＦモードを設定される。一方、電子メールの受信・閲覧処理に関する機能のＯＦＦモード設定は、電子メール通信モード切換部１１５により、電子メール受信部１１１ｄが有効になるとともに電子メール閲覧部１１１ｂが無効となり、受信・閲覧処理のＯＦＦモードが設定される。
【０１００】
これにより、携帯電話装置１０Ａを用いた電子メールの作成処理は可能となるが、送信処理は不可能となり、また、電子メールの受信は可能となるが、閲覧処理は不可能になる。
【０１０１】
次に、携帯電話端末１０Ａは、時間を計測し、所定時間が経過したか否かを判断する（Ｓ１０２）。所定時間が経過するまで、携帯電話装置１０Ａは、待機し（Ｓ１０２における“Ｎ”）、所定時間が経過した場合には（Ｓ１０２における“Ｙ”）、先ず、使用条件判断部１１２ｃは、現在位置の情報を取得する（Ｓ１０３）。なお、現在位置の取得は、予め、利用者（保護者）に対して、位置情報を取得する旨の同意を得ているものとする。また、例えば、画面上に、現在の位置情報を習得することについての同意を求める画面を表示させ、利用者の同意を得た後に現在位置を取得することもできる。
【０１０２】
そして、使用条件判断部１１２ｃによって、取得された現在位置情報が記憶部１６に蓄積された設定された領域の範囲外であるか否かが判断される（Ｓ１０４）。ここで、現在位置情報が設定された領域外である場合には（Ｓ１０４における“Ｙ”）、保護者通知処理がなされる（Ｓ１０５）。一方、現在位置情報が設定された領域外でない場合には（Ｓ１０４における“Ｎ”）、電子メール通信モードとなり、その電子メール通信モードにおいて、電子メール作成・送信処理の制御（Ｓ１０６）及び電子メール受信・閲覧処理の制御（Ｓ１０７）が実行される。
【０１０３】
その後、携帯電話装置１０Ａの電源がＯＦＦにされない限り（Ｓ１０８における“Ｎ”）、Ｓ１０２のステップの直前に移行する。以後、電子メールを利用する場合には、Ｓ１０２からＳ１０７の各ステップを経る。そして、これが繰り返される。
【０１０４】
一方、携帯電話装置１０Ａの電源がＯＦＦにされた場合（Ｓ１０８における“Ｙ”）には、図６の電子メール通信機能の管理処理は終了する。
【０１０５】
（１）電子メール通信モード時の電子メール作成・送信処理の動作
次いで、上述したＳ１０６における、電子メール通信モード時の電子メール作成・送信処理の動作について詳細に説明する。図７は、本実施形態に係る電子メール通信モード時の電子メール作成・送信処理の動作を示すフローチャート図である。
【０１０６】
図７に示すように、先ず、携帯電話装置１０Ａでは、電子メール通信モード切換部１１５によって、電子メール作成部１１１ａが有効化されるとともに、電子メール送信部１１１ｃが無効化され、送信処理のＯＦＦモードが設定されている（Ｓ２０１）。
【０１０７】
この場合には、電子メール作成部１１１ａは有効となっているので、利用者は送信データの作成が可能となっている。そして、操作部１８を通じて送信データが作成され（Ｓ２０２）、送信データが作成された後に、送信ボタンが押下される（Ｓ２０３）。
【０１０８】
送信ボタンが押下されると、先ず、除外フラグ参照部１１２ａにおいて、送信データの宛先のメールアドレスがホワイトリストに含まれているか否かが参照される（Ｓ２０４）。宛先のメールアドレスがホワイトリストに含まれている場合には（Ｓ２０４における“Ｙ”）、使用条件判断部１１２ｃでは、使用を制限しない対象と判断して、電子メール通信モード切換部１１５にその判断結果データが送信され、電子メール通信モード切換部１１５によって電子メール送信部１１１ｃが有効化される（Ｓ２０８）。一方、宛先のメールアドレスがホワイトリストに含まれない場合には（Ｓ２０４における“Ｎ”）、学習機能実行部１１２ｂによって学習モードに切り換えられる（Ｓ２０５）。
【０１０９】
ここで、学習モードでは、メイン表示部２５に、所定のクイズ又は問題が表示されたり、案内用スピーカ２６から所定のクイズ又は問題が出力される。これに対して、利用者は、操作部１８によって所定の情報を入力したり、マイクロフォン２８を介して音声入力することにより解答する。なお、利用者が解くクイズや問題の難易度については、操作部１８からクイズ又は問題のレベル（例えば、高レベル・中レベル・低レベル）を選択することができるようになっている。
【０１１０】
次に、Ｓ２０５の学習モードにおいて利用者が操作部１８を用いて入力した情報又はマイクロフォン２８を用いて音声入力した内容の正誤判定が実行される（Ｓ２０６）。
【０１１１】
学習機能実行部１１２ｂは，正誤判定を実行する際、記憶部１６に蓄積されたクイズ又は問題の正解データを用いて、利用者によって入力された情報の正誤を判断する。このとき、マイクロフォン２８を介して音声入力された内容は、ＣＰＵ１２Ａの音声認識部（図示省略）により解析されて正誤が判定される。その正誤の解答結果の情報は、使用条件判断部１１２ｃに入力される。
【０１１２】
次いで、使用条件判断部１１２ｃでは、利用者の解答結果が所定の基準をクリアしているか否かの合否判定が実行される（Ｓ２０７）。ここで、使用条件判断部１１２ｃは、記憶部１６に予め記憶された、合格となる基準データを用いて制御部１２のＣＰＵ１２Ａが合否判定する。なお、「基準データ」とは、例えば、正答率データや偏差値データなどが該当する。
【０１１３】
利用者の解答結果が所定の基準をクリアしていないと判定された場合（Ｓ２０７における“Ｎ”）には、学習モードの終了を選択しない限り、Ｓ２０５の学習モードに再度移行する。ここで、学習モードの終了を選択した場合には、電子メール通信機能の管理処理が終了し、依然として電子メール送信部１１１ｃが無効化された状態が継続される。
【０１１４】
なお、利用者の解答結果が所定の基準をクリアしていると判断された場合（Ｓ２０７における“Ｙ”）には、使用条件判断部１１２ｃは、その判断結果に応じて、電子メール通信モード切換部１１５の制御により、電子メール送信部１１１ｃが有効化され（Ｓ２０８）、電子メールの送信を行う送信処理がＯＮモードに設定される。
【０１１５】
これにより、携帯電話装置１０Ａを用いた電子メールの送信が可能になり、作成された電子メールは送信され（Ｓ２０９）、メールサーバ５を中継して（Ｓ２１２）、相手先へ送信される。その後、Ｓ２０９のステップが終了すると、制御部１２の電子メール通信モード切換部１１５により電子メール送信部１１１ｃが自動的に無効化にされ（Ｓ２１０）、電子メール送信機能はＯＦＦモードに設定される。これにより、携帯電話装置１０Ａを用いた電子メールの送信が不可能になる。
【０１１６】
次に、携帯電話装置１０Ａの電子メールの利用が終了されない限り（Ｓ２１１における“Ｎ”）、Ｓ２０２のステップの直前に移行する。以後、電子メールを作成して送信する場合には、Ｓ２０２からＳ２１０の各ステップを経る。そして、これが繰り返される。一方、携帯電話装置１０Ａの利用が終了された場合（Ｓ２１１における“Ｙ”）には、電子メール通信機能の作成・送信処理を終了する。
【０１１７】
（２）電子メール通信モード時の電子メール受信・閲覧処理の動作
次いで、上述したＳ１０７における、電子メール通信モード時の電子メール受信・閲覧処理の動作について詳細に説明する。図８は、本実施形態に係る電子メール通信モード時の電子メール受信・閲覧処理の動作を示すフローチャート図である。
【０１１８】
図８に示すように、先ず、携帯電話装置１０Ａでは、電子メール通信モード切換部１１５によって、電子メール受信部１１１ｄが有効となり、電子メール閲覧部１１１ｂが無効となり、電子メールの内容を閲覧する処理機能がＯＦＦモードに設定される（Ｓ３０１）。
【０１１９】
この場合には、電子メール受信部１１１ｄは有効となっているので、携帯電話装置１０Ａは電子メールの受信は可能となっている。そして、相手側から送信された電子メールは、メールサーバ５において中継されて（Ｓ３０２）、携帯電話装置１０Ａに受信される（Ｓ３０３）。
【０１２０】
その後、操作部１８によって、受信メールの内容の表示に対する操作がなされると（Ｓ３０４）、使用条件判断部１１２ｃでは、先ず、選択されたメールが未読メールか否かが判断される（Ｓ３０５）。ここで、選択された電子メールが未読メールでない場合には（Ｓ３０５における“Ｎ”）、電子メール通信モード切換部１１５によって、電子メール閲覧部１１１ｂが有効化されて（Ｓ３１０）、メール内容を表示させる（Ｓ３１１）。一方、選択された電子メールが未読メールである場合には（Ｓ３０５における“Ｙ”）、除外フラグ参照部１１２ａにおいて、受信した電子メールの発信元のメールアドレスがホワイトリストに含まれているか参照される（Ｓ３０６）。
【０１２１】
発信元のメールアドレスがホワイトリストに含まれている場合には（Ｓ３０６における“Ｙ”）、使用条件判断部１１２ｃにおいて、使用制限を行わない対象であると判断して、電子メール通信モード切換部１１５にその判断結果データを送信する。電子メール通信モード切換部１１５では、その判断結果データに応じて、電子メール閲覧部１１１ｂを有効にし（Ｓ３１０）、メール内容を表示させる（Ｓ３１１）。一方、発信元のメールアドレスがホワイトリストに含まれない場合には（Ｓ３０６における“Ｎ”）、学習機能実行部１１２ｂによって学習モードに切り換えられる（Ｓ３０７）。
【０１２２】
この学習モードでは、メイン表示部２５に、所定のクイズ又は問題が表示されたり、案内用スピーカ２６から所定のクイズ又は問題が出力される。これに対して、利用者は、操作部１８によって所定の情報を入力したり、マイクロフォン２８を介して音声入力することにより解答する。ここでも、利用者が解くクイズや問題の難易度については、操作部１８からクイズ又は問題のレベル（例えば、高レベル・中レベル・低レベル）を選択することができるようになっている。
【０１２３】
次に、Ｓ３１１の学習モードにおいて利用者が操作部１８を用いて入力した情報又はマイクロフォン２８を用いて音声入力した内容の正誤判定が実行される（Ｓ３０８）。学習機能実行部１１２ｂは，正誤判定を実行する際、記憶部１６に蓄積されたクイズ又は問題の正解データを用いて、利用者によって入力された情報の正誤を判断する。その正誤の解答結果の情報は、使用条件判断部１１２ｃに入力される。
【０１２４】
そして、使用条件判断部１１２ｃでは、利用者の解答結果が所定の基準をクリアしているか否かの合否判定が実行される（Ｓ３０９）。ここで、使用条件判断部１１２ｃは、記憶部１６に予め記憶された、合格となる基準データを用いて使用条件判断部１１２ｃが合否判定する。なお、「基準データ」とは、例えば、正答率データや偏差値データなどが該当する。
【０１２５】
利用者の解答結果が所定の基準をクリアしていないと判定された場合（Ｓ３０９における“Ｎ”）には、学習モードの終了を選択しない限り、Ｓ３０７の学習モードに再度移行する。ここで、学習モードの終了を選択した場合には、電子メール通信機能の管理処理が終了し、依然として電子メールが使用できない状態が継続される。
【０１２６】
なお、利用者の解答結果が所定の基準をクリアしていると判定された場合（Ｓ３０９における“Ｙ”）には、その判断結果データが電子メール通信モード切換部１１５に入力され、電子メール通信モード切換部１１５によって、電子メール閲覧部１１１ｂが有効化され（Ｓ３１０）、電子メールの内容を表示する受信・閲覧処理がＯＮモードに設定される。これにより、携帯電話装置１０Ａが受信した電子メールの内容が閲覧可能になり、電子メールの内容は画面上に表示される（Ｓ３１１）。
【０１２７】
次に、Ｓ３１１のステップが終了すると、電子メール通信モード切換部１１５により電子メール閲覧部１１１ｂが自動的に無効化にされ（Ｓ３１２）、電子メール閲覧処理のモードはＯＦＦモードに設定される。これにより、携帯電話装置１０Ａを用いた未読電子メールの内容の閲覧が不可能になる。
【０１２８】
そして、携帯電話装置１０Ａの電子メールのアプリケーションが終了にされない限り（Ｓ３１３における“Ｎ”）、Ｓ３０２のステップの直前に移行する。以後、電子メールを作成して送信する場合には、Ｓ３０２からＳ３１２の各ステップを経る。そして、これが繰り返される。一方、携帯電話装置１０Ａの電子メールのアプリケーションが終了された場合（Ｓ３１３における“Ｙ”）には、電子メール通信機能の受信・閲覧処理は終了する。
【０１２９】
（３）緊急通知時の動作
次いで、上述したＳ１０５における、緊急通知時の処理動作について詳細に説明する。図９は、本実施形態に係る緊急通知時の動作を示すフローチャート図である。
【０１３０】
図９に示すように、先ず、携帯電話装置１０Ａでは、電子メール通信モード切換部１１５によって、電子メール作成部１１１ａ、及び電子メール送信部１１１ｃが無効となっている。（Ｓ４０１）。
【０１３１】
このような状態において、画面上には設定領域外である旨が表示される（Ｓ４０２）。この間、使用条件判断部１１２ｃでは、所定時間が経過したか否かを判断している（Ｓ４０３）。所定時間が経過してない場合には（Ｓ４０３における“Ｎ”）、設定領域外である旨を表示させたまま待機する。なお、この際、携帯電話装置１０Ａには、アラーム音などを出力させてもよい。
【０１３２】
一方、所定時間が経過した場合には（Ｓ４０３における“Ｙ”）、電子メール通信モード切換部１１５では、電子メール送信部１１１ｃを有効化して（Ｓ４０４）、連絡が欲しい旨の内容の電子メールを自動的に作成するとともに（Ｓ４０５）、現在位置情報を取得して、マップ用のＵＲＬを添付し（Ｓ４０６）、保護者のメールアドレスに対して電子メールを送信する（Ｓ４０７）。なお、この際、緊急メールを送信する際に、現在位置を取得することについても併せて表示させ、許可を得るようにしている。
【０１３３】
（作用・効果）
これらの発明によれば、利用者が電子メールの通信機能を利用する度に、利用者は否応無しに学習することになる。これが繰り返されることにより、利用者の学習時間が増加していき、また学習効果が高くなる。この結果、携帯電話装置１０を学習支援ツールとして利用することができ、学校教育の場で有効に活用することができる。
【０１３４】
特に、本実施形態では、電子メールの作成、送信、受信、及び閲覧の機能単位でＯＮ／ＯＦＦを切り換えている。したがって、例えば、電子メール送信部１１１ｃが無効化されていた場合であっても、電子メール作成部１１１ａは有効化するように設定することができるので、例えば、予めメール内容の入力を行って保存させ、その後、時間が空いた際に問題を解いて、電子メールを送信させることができるなど、ユーザーの利便性を確保しつつ、学習支援の充実を図ることができる。
【０１３５】
また、電子メール閲覧部１１１ｂが無効化された場合であっても、電子メール受信部１１１ｄを有効化するように設定することができるので、ユーザーは、本文が見られないながらも、相手側から電子メールの着信は知ることができ、これにより、ユーザーの利便性を確保しつつ、学習支援の充実を図ることができる。
【０１３６】
さらに、本実施形態によれば、例えば、児童が自宅や学校の範囲（学区毎のエリアや、市町村毎のエリアなど）以外の場所、すなわち、設定された領域外に移動した場合には、保護者の通信端末に対して、現在位置情報を含めた電子メールを送信するので、保護者は、即時に児童の現在位置を把握することができるので、事件や事故の発生を未然に防止することができる。
【０１３７】
［第３実施形態］
次いで、本発明の第３実施形態について説明する。上述した第１実施形態及び第２実施形態では、携帯電話装置のＣＰＵ１２Ａによって電子メールの送信、受信、作成、及び閲覧の機能を制御したが、第３実施形態では、外部のメールサーバによって電子メールの送信、受信、作成、及び閲覧の機能を制御することを特徴とする。
【０１３８】
図１０は、本実施形態に係る本実施形態に係る携帯電話装置１０Ｂの内部構造を示すブロック図であり、図１１は、本実施形態に係るメールサーバ５Ｂの内部構造を示すブロック図である。なお、本実施形態において、上述した各実施形態と同一の構成要素には同一の符号を付し、その機能等は特に言及しない限り同一であり、その説明は省略する。
【０１３９】
図１０に示すように、携帯電話装置１０ＢのＣＰＵ１２Ａ上には、判断手段を備えておらず、電子メール実行部１１１が備えている。電子メール実行部１１１は、ユーザー操作に応じて、電子メールのアプリケーションを実行するモジュールであり、電子メール作成部１１１ａや、電子メール閲覧部１１１ｂや、電子メール送信部１１１ｃと、電子メール受信部１１１ｄと備えている。
【０１４０】
また、本実施携帯では、携帯電話装置１０ＢのＣＰＵ１２Ａには、ブラウザ部１１３を備えている。このブラウザ部１１３は、Ｗｅｂページを閲覧するためのアプリケーションソフトであり、メールサーバ５ＢからＨＴＭＬ（HyperText Markup Language）ファイルや画像ファイル、音楽ファイルなどをダウンロードし、レイアウトを解析し、学習モードにおける問題や、解答の表示・再生して、解答などの利用者が選択したデータなどを取得する。また、位置情報取得部２３で取得された位置情報は、ＣＰＵ１２Ａの制御により、メールサーバ５Ｂに送信されるようになっている。
【０１４１】
メールサーバ５Ｂでは、図１１に示すように、メールサーバ５Ｂの制御部５３は、電子メール通信モード切換部５６と、判断部５５をさらに備えている。
【０１４２】
電子メール通信モード切換部５６は、判断部５５による判断結果に応じて、通信部５１における電子メールの通信処理における各モードの切り換えを実行するモジュールである。本実施形態では、判断部５５からの制御により、通信部５１の電子メール機能を無効化して、携帯電話装置１０Ｂからの電子メールを一時的に保存したり、携帯電話装置１０Ｂ宛ての電子メールについて、発信元の情報と電子メールの内容とを区別して、２段階で分けて送信する機能を備えている。
【０１４３】
また、使用状況管理部５３ｂには、学習機能による判断結果をポイントとして算定する機能も備えている。本実施形態では、学習機能実行部５５ｂにおいて、算出された問題に対する正解数をポイントとして算定する。そのポイントは、履歴集計データベース５４ｂに蓄積ポイントとして蓄積され、各処理のＯＦＦモードからＯＮモードへの切り換えの際に減算されるようになっている。また、履歴集計データベース５４ｂには、蓄積ポイントの他に、使用するポイントを貸し出すマイナスポイントが設定されており、所定の上限値までポイントを先に利用することができるようになっている
判断部５５は、入力された情報が所定の条件を具備するか否かについて判断するモジュールであり、本実施形態では、除外フラグ参照部５５ａと、学習機能実行部５５ｂと、使用条件判断部５５ｃとを備えている。
【０１４４】
除外フラグ参照部５５ａは、電子メールの送信・受信を常時許可する対象となるリスト（ホワイトリスト）を参照するモジュールである。そして、電子メールの発信元、又は送信先のアドレスがホワイトリストに含まれるか否かの判断結果データは、使用条件判断部５５ｃに入力される。なお、本実施形態において、このホワイトリストは、会員データベース５４ｃに蓄積されているものとする。
【０１４５】
学習機能実行部５５ｂは、クイズや問題など、電子メールの利用者が独自に学習するための学習モードを実行するモジュールである。本実施形態においては、携帯電話装置１０Ｂのブラウザ機能を用いて、通信ネットワーク７を介してＨＴＭＬ（HyperText Markup Language）ファイルや画像ファイルなどの問題データや解答データを送信し、利用者から操作部１８によって所定の情報が入力された答えと解答とを対比して正解か否かを判断する機能も備えている。また、メイン表示部２５に表示される所定のクイズ又は問題の内容は、データとして、問題データベース５４ａに記憶されている。
【０１４６】
使用条件判断部５５ｃは、除外フラグ参照部５５ａ及び学習機能実行部５５ｂからの情報データを取得し、これらの各データに基づいて、各種のモードを切り換える判断を行うモジュールである。
【０１４７】
具体的に、使用条件判断部５５ｃは、学習機能実行部１１２ｂの正誤判定により正解の結果データや、ポイントの有無についての判断結果によって、電子メールの機能の一部を制限する電子メール通信モードの設定及び解除を実行するか否かの判断を行う。また、使用条件判断部５５ｃは、例えば、電子メール送信モードにおいて、保護者等など所定の宛先のメールアドレス（ホワイトリスト）に対する使用制限の解除を行うか否かについても判断している。
【０１４８】
また、使用条件判断部５５ｃは、位置情報取得部２３から取得した位置情報を取得し、その位置情報が設定領域の範囲内か否かを判断する機能も備えており、位置情報が設定領域外である場合には、学習機能実行部５５ｂの学習判断結果に関わらず、電子メール通信モード切換部５６及び緊急通知処理部５７を制御して緊急通知処理を実行させる。
【０１４９】
なお、本実施形態において、携帯電話装置１０Ａの位置情報を取得する際には、所定時間毎にトリガー信号が発生して、位置情報を取得するようになっている。この場合には、予め、利用者から位置情報を取得する同意を取得しているものとする。なお、予め、同意を取得していない場合には、位置情報を取得する毎に同意を求める画像を表示させ、承諾となる操作信号を取得した場合にのみ位置情報を取得する構成でもよい。
【０１５０】
緊急通知処理部５７は、使用条件判断部５５ｃから緊急通知処理の信号を受信した場合に、設定された宛先への緊急メールを自動で作成し、所定の通信端末に対して現在位置情報を含めた電子メールを送信する緊急通知処理を実行する。
【０１５１】
（１）電子メール通信モード時の電子メール作成・送信処理の動作
次いで、本実施形態における電子メール通信モード時の電子メール作成・送信処理の動作について詳細に説明する。図１２は、本実施形態に係る電子メール通信モード時の電子メール作成・送信処理の動作を示すフローチャート図である。
【０１５２】
図１２に示すように、先ず、携帯電話装置１０Ｂでは、電子メール通信モード切換部１１５によって、電子メール作成部１１１ａが有効となるとともに、電子メール送信部１１１ｃが有効となっている（Ｓ５０１）。この場合には、電子メール作成部１１１ａは有効となっているので、利用者は送信データの作成が可能となっている。そして、操作部１８を通じて送信データが作成され（Ｓ５０２）、送信データを作成後に、送信ボタンが押下される（Ｓ５０３）。
【０１５３】
送信ボタンが押下されると、メールサーバ５Ｂは、電子メールを受信し（Ｓ６０１）、先ず、除外フラグ参照部５５ａにおいて、送信データの宛先のメールアドレスがホワイトリストに含まれているか否かが判断される（Ｓ６０２）。宛先のメールアドレスがホワイトリストに含まれている場合には（Ｓ６０２における“Ｙ”）、使用条件判断部５５ｃは、使用を制限しない対象と判断して、電子メール通信モード切換部１１５の制御により、通信部５１は電子メールを送信する（Ｓ６０７）。
【０１５４】
一方、宛先のメールアドレスがホワイトリストに含まれない場合には（Ｓ６０２における“Ｎ”）、ポイントを利用するか否かの表示データが携帯電話装置１０Ｂに送信され、学習機能実行部５５ｂによって学習モードに切り換えられる。ここで、学習モードでは、メールサーバ５Ｂから携帯電話装置１０Ｂに問題データが送信され（Ｓ６０３）、携帯電話装置１０Ｂではこの問題データを受信して（Ｓ５０４）、ブラウザ機能等により、メイン表示部２５に所定のクイズ又は問題が表示されたり、案内用スピーカ２６から所定のクイズ又は問題が出力される。これに対して、利用者は、操作部１８によって所定の情報を入力したり、マイクロフォン２８を介して音声入力することにより解答する。この解答データは、メールサーバに送信される（Ｓ５０５）。
【０１５５】
次に、学習機能実行部５５ｂでは、利用者が操作部１８を用いて入力した解答データを受信して（Ｓ６０４）、答えの正誤判定が実行される（Ｓ６０５）。学習機能実行部５５ｂは，正誤判定を実行する際、問題データベース５４ａに蓄積されたクイズ又は問題の正解データを用いて、利用者によって入力された情報の正誤を判断する。この際、正誤判定の結果は、携帯電話装置１０Ｂに送信され、メイン表示部２５に表示されるようになっている。また、この正誤の解答結果の情報は、使用条件判断部５５ｃに入力される。
【０１５６】
次いで、使用条件判断部５５ｃでは、利用者の解答結果が所定の基準をクリアしているか否かの合否判定が実行される（Ｓ６０６）。ここで、使用条件判断部５５ｃは、問題データベース５４ａに予め記憶された、合格となる基準データを用いて合否判定する。なお、「基準データ」とは、例えば、正答率データや偏差値データなどが該当する。
【０１５７】
利用者の解答結果が所定の基準をクリアしていないと判定された場合（Ｓ６０６における“Ｎ”）には、学習モードの終了を選択しない限り、学習モードに再度移行する。ここで、学習モードの終了を選択した場合には、電子メール通信機能の管理処理が終了し、依然として電子メールの送信部が無効化された状態が継続される。一方、利用者の解答結果が所定の基準をクリアしていると判断された場合（Ｓ６０６における“Ｙ”）には、その判断結果に応じて、作成された電子メールは送信される（Ｓ６０７）。
【０１５８】
電子メールが送信された後には、携帯電話装置１０Ｂにメール送信結果を通知し（Ｓ６０８）、携帯電話装置１０Ｂでは、その送信結果が表示される（Ｓ５０６）。次に、携帯電話装置１０Ｂの電子メールの利用が終了されない限り（Ｓ５０７における“Ｎ”）、Ｓ５０２のステップの直前に移行する。以後、電子メールを作成して送信する場合には、Ｓ５０２からＳ５０６、及びＳ６０１からＳ６０８の各ステップを経る。そして、これが繰り返される。一方、携帯電話装置１０Ｂの利用が終了された場合（Ｓ５０７における“Ｙ”）には、電子メール通信機能の送信処理は終了する。
【０１５９】
（２）学習モード時の電子メール受信・閲覧処理の動作
次いで、本実施形態における、学習モード時の電子メール受信・閲覧処理の動作について詳細に説明する。図１３は、本実施形態に係る学習モード時の電子メール受信・閲覧処理の動作を示すフローチャート図である。
【０１６０】
図１３に示すように、先ず、携帯電話装置１０Ｂでは、電子メール通信モード切換部１１５によって、電子メール受信部１１１ｄが有効となっており、閲覧する電子メール閲覧部１１１ｂが無効となっている（Ｓ７０１）。そして、相手側から送信された電子メールは、メールサーバ５において、先ず、受信され（Ｓ８０１）、その電子メールの発信元情報のみを携帯電話装置１０Ｂに送信する（Ｓ８０２）。
【０１６１】
携帯電話装置１０Ｂでは、電子メールの発信元情報を受信して（Ｓ７０２）、メイン表示部２５に表示する。その後、操作部１８によって、受信メールの内容の表示に対する操作がなされると（Ｓ７０３）、ＣＰＵ１２Ａでは、先ず、選択された電子メールは、未読メールか否かが判断される（Ｓ７０４）。ここで、選択された電子メールが未読メールでない場合には（Ｓ７０４における“Ｎ”）、電子メール閲覧部１１１ｂが有効化されるとともに、メール内容を表示させる（Ｓ７０７）。一方、選択された電子メールが未読メールである場合には（Ｓ７０４における“Ｙ”）、その選択された電子メールの情報がメールサーバ５Ｂに送信される（Ｓ７０５）。
【０１６２】
メールサーバ５Ｂでは、選択情報を受信して（Ｓ８０３）、先ず、除外フラグ参照部５５ａにおいて、受信した電子メールの発信元のメールアドレスがホワイトリストに含まれているか否かが判断される（Ｓ８０４）。
【０１６３】
発信元のメールアドレスがホワイトリストに含まれている場合には（Ｓ８０４における“Ｙ”）、使用条件判断部５５ｃにおいて、使用制限を行わない対象であると判断して、電子メールの内容データを携帯電話装置１０Ｂに送信する（Ｓ８０８）。携帯電話装置１０Ｂでは、電子メールの内容データを受信するとともに、電子メール閲覧部１１１ｂが有効化されて、メール内容を表示させる（Ｓ７０７）。
【０１６４】
一方、宛先のメールアドレスがホワイトリストに含まれない場合には（Ｓ８０４における“Ｎ”）、学習機能実行部５５ｂによって学習モードに切り換えられる。ここで、学習モードでは、メールサーバ５Ｂから携帯電話装置１０Ｂに問題データが送信され、携帯電話装置１０Ｂではこの問題データを受信して、ブラウザ機能等により、メイン表示部２５に所定のクイズ又は問題が表示されたり、案内用スピーカ２６から所定のクイズ又は問題が出力される。これに対して、利用者は、操作部１８によって所定の情報を入力したり、マイクロフォン２８を介して音声入力することにより解答する。この解答データは、メールサーバに送信される（Ｓ８０５及びＳ７０６）。
【０１６５】
次に、学習機能実行部５５ｂでは、受信した解答データの正誤判定が実行される（Ｓ８０６）。ここで、学習機能実行部５５ｂは，正誤判定を実行する際、問題データベース５４ａに蓄積されたクイズ又は問題の正解データを用いて、利用者によって入力された情報の正誤を判断する。この際、正誤判定の結果は、携帯電話装置１０Ｂに送信され、メイン表示部２５に表示されるようになっている。また、この正誤の解答結果の情報は、使用条件判断部５５ｃに入力される。
【０１６６】
そして、使用条件判断部５５ｃでは、利用者の解答結果が所定の基準をクリアしているか否かの合否判定が実行される（Ｓ８０７）。ここで、使用条件判断部５５ｃは、問題データベース５４ａに予め記憶された、合格となる基準データを用いて合否判定する。なお、「基準データ」とは、例えば、正答率データや偏差値データなどが該当する。
【０１６７】
利用者の解答結果が所定の基準をクリアしていないと判定された場合（Ｓ８０７における“Ｎ”）には、学習モードの終了を選択しない限り、学習モードに再度移行する。ここで、学習モードの終了を選択した場合には、電子メール通信機能の管理処理が終了し、依然として電子メールが使用できない状態が継続される。一方、利用者の解答結果が所定の基準をクリアしていると判定された場合（Ｓ８０７における“Ｙ”）には、制御部５３は、通信部５１を制御して電子メールの内容を送信する（Ｓ８０８）。
【０１６８】
そして、携帯電話装置１０Ｂでは、電子メールの内容データを受信して、電子メール閲覧部１１１ｂが有効化され、メイン表示部２５に内容データが表示される（Ｓ７０７）。次に、携帯電話装置１０Ｂの電子メールの利用が終了されない限り（Ｓ７０８における“Ｎ”）、Ｓ７０２のステップの直前に移行する。以後、電子メールを受信して閲覧する場合には、Ｓ７０２からＳ７０７、及びＳ８０１からＳ８０８の各ステップを経る。そして、これが繰り返される。一方、携帯電話装置１０Ｂの利用が終了された場合（Ｓ７０８における“Ｙ”）には、電子メール通信機能の処理は終了する。
【０１６９】
（作用・効果）
このような場合には、メールサーバ５Ｂ側で制御して電子メールの作成・送信処理及び受信・閲覧処理を制御できるので、既存の携帯電話装置を利用することができ、ユーザーの利便性を確保しつつ、電子メールによる通信機能を優れた学習支援ツールとして利用することができる。
【０１７０】
（３）緊急通知時の動作
次いで、緊急通知時の処理動作について詳細に説明する。図１４は、本実施形態に係る緊急通知時の動作を示すフローチャート図である。
図１４に示すように、先ず、携帯電話装置１０Ｂでは、電子メール通信モード切換部５６によって、電子メール作成部１１１ａ、及び電子メール送信部１１１ｃが無効となっている。（Ｓ１００１）。
【０１７１】
このような状態において、メールサーバ５Ｂの使用条件判断部５５ｃは、設定領域外であると判断した場合には、緊急通知処理部５７を制御して携帯電話装置１０Ｂに設定領域外である旨の表示画面データを送信する（Ｓ１０１１）。携帯電話装置１０Ｂでは、表示画面データを受信し、画面上には設定領域外である旨が表示される（Ｓ１００２）。この間、緊急通知処理部５７では、所定時間が経過したか否かを判断している（Ｓ１０１２）。所定時間が経過してない場合には（Ｓ１０１２における“Ｎ”）、設定領域外である旨を表示させたまま待機する。なお、この際、携帯電話装置１０Ｂには、アラーム音などを出力させてもよい。
【０１７２】
一方、所定時間が経過した場合には（Ｓ１０１２における“Ｙ”）、緊急通知処理部５７は、携帯電話装置１０Ｂに位置情報を要求する（Ｓ１０１３）。なお、この際、現在位置を取得することについても併せて表示させ、許可を得るようにすることもできる。その後、携帯電話装置１０Ｂでは、位置情報を取得して（Ｓ１００３）、その位置情報をメールサーバ５Ｂに送信する（Ｓ１００４）。
【０１７３】
メールサーバ５Ｂにおいて位置情報を取得し（Ｓ１０１４）、現在取得した位置情報が緊急通知エリアである場合には、電子メール通信モード切換部５６において、連絡が欲しい旨の内容の電子メールを自動的に作成するとともに（Ｓ１０１５）、現在位置情報を添付し、保護者のメールアドレスに対して電子メールを送信する（Ｓ１０１６）。
【０１７４】
このような本実施形態によれば、例えば、児童が自宅や学校の範囲（学区毎のエリアや、市町村毎のエリアなど）以外の場所、すなわち、設定された領域外に移動した場合には、保護者の通信端末に対して、現在位置情報を含めた電子メールを送信するので、保護者は、即時に児童の現在位置を把握することができるので、事件や事故の発生を未然に防止することができる。
【０１７５】
［変更例］
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１７６】
例えば、上述した実施形態では、電子メールの通信機能を、ＣＰＵ上のアプリケーションレベルや、送受信部１４で制御を行ったが、本発明はこれに限定するものではなく、例えば、通信プログラムとして用いることできる。これによれば、特別な処理装置を必要とせず、上述した通信システム及び方法を、様々な情報処理装置において実現することができる。すなわち、このプログラムを、汎用的なコンピューターやＩＣチップにインストールし、フォームウェアとしてＣＰＵ上で実行することにより、上述した各機能を有する通信システムを容易に構築することができる。この場合、各本実施形態における「電子メール」には、例えば、ショートメッセージ機能におけるテキストデータも含まれる。さらには、複数のメールソフトがインストールしている場合には、本プログラムをインストールすることで、各メールソフトを一括して利用制御させることもできる。
【０１７７】
また、このプログラムは、例えば、通信回線を通じて配布することが可能であり、またスタンドアローンの計算機上で動作するパッケージアプリケーションとして譲渡することができる。そして、このような通信プログラムは、コンピューターで読み取り可能な記録媒体に記録することができ、汎用のコンピューターや専用コンピューターを用いて、上述したシステムや方法を実施することが可能となるとともに、プログラムの保存、運搬及びインストールを容易に行うことができる。
【符号の説明】
【０１７８】
１…児童
２…保護者
３…衛星
４…無線基地局
５（５Ｂ）…メールサーバ
６…中継装置
７…通信ネットワーク
８…アクセスポイント
１０（１０Ａ，１０Ｂ）…携帯電話装置
２０（２０Ａ，２０Ｂ）…保護者用端末
１２…制御部
１２Ａ…ＣＰＵ
１２Ｂ…ＤＳＰ
１２Ｃ…ＲＡＭ
１２Ｄ…ＲＯＭ
１２Ｅ…電子メール通信モード切換部
１４…送受信部
１６…記憶部
１８…操作部
２２…サブ表示部
２３…位置情報取得部
２４…通話用スピーカ
２５…メイン表示部
２６…案内用スピーカ
２８…マイクロフォン
３０…アンテナ
５１…通信部
５２…接続処理部
５３…制御部
５３ａ…使用条件設定部
５３ｂ…使用状況管理部
５３ｃ…認証部
５３ｄ…会員登録部
５４…記憶部
５４ａ…問題データベース
５４ｂ…履歴集計データベース
５４ｃ…会員データベース
５５…判断部
５５ａ…除外フラグ参照部
５５ｂ…学習機能実行部
５５ｃ…使用条件判断部
５６…電子メール通信モード切換部
５７…緊急通知処理部
１１１…電子メール実行部
１１１ａ…電子メール作成部
１１１ｂ…電子メール閲覧部
１１１ｃ…電子メール送信部
１１１ｄ…電子メール受信部
１１２…判断部
１１２ａ…除外フラグ参照部
１１２ｂ…学習機能実行部
１１２ｃ…使用条件判断部
１１３…ブラウザ部
１１４…ポイント管理部
１１５…電子メール通信モード切換部
１１６…緊急通知処理部  
【図１】
0005162771.tif 000002
【図２】
0005162771.tif 000003
【図３】
0005162771.tif 000004
【図４】
0005162771.tif 000005
【図５】
0005162771.tif 000006
【図６】
0005162771.tif 000007
【図７】
0005162771.tif 000008
【図８】
0005162771.tif 000009
【図９】
0005162771.tif 000010
【図１０】
0005162771.tif 000011
【図１１】
0005162771.tif 000012
【図１２】
0005162771.tif 000013
【図１３】
0005162771.tif 000014
【図１４】
0005162771.tif 000015